(57)【要約】【課題】紙及び／又は厚紙の複数種類のサンプルを測定器に自動供給するときに、サンプルに測定の優先順位がある場合、或いは、紙及び／又は厚紙が標準寸法から外れた規格外のものである場合でさえ、測定器への紙及び／又は厚紙の自動供給を好適に行う供給装置を提供する。【解決手段】供給装置１００は、供給ユニット１０６、１０８、１１０を含む。これらの少なくとも1つの供給ユニット１０６、１０８、１１０は、供給方向において、少なくとも1つの供給ユニット１０６、１０８、１１０を通り越してから、サンプル１１６、１４４、１４６を、次の少なくとも１つの供給ユニットに搬送する。【選択図】図１
0003154441.tif 000002
【実用新案登録請求の範囲】
【請求項１】
測定装置における測定のための紙及び／又は厚紙のサンプルを供給するための供給装置であって、
該供給装置は、前記測定装置において実行される測定に向けてサンプルを送るための少なくとも２つの連続した供給ユニットを含み、かつ、
供給路上で、少なくとも１つの供給ユニットを通り越してから、次の少なくとも1つの供給ユニットに送られたサンプルを搬送するように構成されていることを特徴とする供給装置。
【請求項２】
前記供給装置は、サンプルを各供給ユニットから前記測定装置に搬送するためのコンベアを含むことを特徴とする請求項１に記載の供給装置。
【請求項３】
前記供給装置は、各供給ユニットに接続されたプレス機を含み、該プレス機が、測定用のサンプルを供給するためのコンベアに対してサンプルを押圧するために配置されていることを特徴とする請求項２に記載の供給装置。
【請求項４】
前記少なくとも1つの供給ユニットは、測定用のサンプルが１つの供給ユニット内にあって測定のために搬送されないときに、前記サンプルが前記プレス機の下から引き出されないように配置されたリミッタを含むことを特徴とする請求項３に記載の供給装置。
【請求項５】
各供給ユニットがサンプルの測定をする搬送をしない状態において、前記供給装置は、前記サンプルが通過できるように、前記サンプルと前記コンベアとを物理的に離れた状態に維持するように配置され、さらに、前記供給装置がサンプルを測定のために搬送するとき、前記プレス機を用いて、前記コンベアに対し、前記サンプルを押圧するように構成されていることを特徴とする請求項３に記載の供給装置。
【請求項６】
前記少なくとも1つの供給ユニットは、サンプル巻取りロールのためのホルダを含み、かつ、測定のための前記ロール上にサンプルを送るように配置されていることを特徴とする請求項１に記載の供給装置。
【請求項７】
前記少なくとも１つの供給ユニットは、シート状サンプルのためのサンプル支持部を含むことを特徴とする請求項１に記載の供給装置。
【請求項８】
前記供給装置は、所定のサンプル送り出し工程を中断し、測定用の割り込みサンプルを送り、かつ、該割り込み後に、前記所定のサンプル送り出し工程を元に戻すことを特徴とする請求項１に記載の供給装置。
【請求項９】
前記供給装置は、オープンロールからサンプルを受け入れるように配置されていることを特徴とする請求項１に記載の供給装置。
【請求項１０】
前記供給装置は、サンプルが取り付けられたサンプルキャリアを受け入れることを特徴とする請求項１に記載の供給装置。
【考案の詳細な説明】
【技術分野】
【０００１】
本考案は、サンプルを、測定装置に供給するための供給装置に関する。
【背景技術】
【０００２】
従来より、紙、パルプおよび厚紙（ボード）産業では、仕上げられた製品又は製造される製品は、分析のために、サンプリング（抽出）され、別途、設けられた測定装置、すなわち、分析器に運ばれる。分析される製品の特性は、形状、繊維配列、平方重量、厚さ、粗さ、気体透過性、グレア、色及び湿度、並びに、破裂強度、引裂き強度及び引張り強度を含む。サンプルの長さは、例えば、１０ｍといったような、製造されるウェブの幅に等しく、例えば、サンプルの幅は３０ｃｍである。サンプルはまた、機械加工方向において、製造される材料から採取される。この場合には、サンプルはさらに長く、例えば数１００ｍに等しい。サンプルはまた、例えば、標準的なＡ４サイズのシートである。
【０００３】
サンプルを分析する測定装置は、通常、受け入れ用開口を含み、サンプルは、この受け入れ用開口を通って、連続的に分析のために供給される。分析前に、サンプルは、供給装置に配置され、この供給装置が、サンプルを、所望の順で自動的に測定装置に供給する。
【０００４】
供給装置は、複数に重ね合わされたカートリッジを含む。作業者は、各カートリッジ中に1つのサンプルを配置する。サンプル配置の際、作業者は、供給装置の背後又は側部に立ち、サンプルをカートリッジに配置する。カートリッジは、背面又は側面から異なる位置にある。サンプルはシート又はロールの状態に形成されている。カートリッジは、エレベータ式の動きで垂直方向に変位し、測定される最初のサンプルのカートリッジは、最初に、測定装置の受け入れ用開口に移動される。最初のサンプルが測定されるときに、供給装置は、サンプルを、測定装置内に供給する。次に、後続のカートリッジが受け入れ用開口に移動され、分析のために供給されることを待つ。以上の動作は、サンプルを包含する全てのカートリッジに対して、一定時間に一度、繰り返される。
【考案の概要】
【考案が解決しようとする課題】
【０００５】
しかし、従来技術の解決方法には問題がある。別個のカートリッジが、サンプルを供給するために必要とされる。サンプルをカートリッジに挿入すること及びカートリッジを取り扱うことは、遅々とした作業であり、かつ、不便でもある。
カートリッジのエレベータ式の移動はまた、遅々としており、かつ、複雑でもあり、かつ、多くの移動用部品を必要とする。さらに、多くのリミットスイッチ、モータ、Ｉ／Ｏ装置が、カートリッジのエレベータ式の移動を制御するのに必要とされる。サンプルをカートリッジの中に配置することは、遅々とした作業であり、かつ、不便な作業である。それは、異なる高さにサンプルをセットしなけばならず、又は、サンプルが該カートリッジ内に配置される前に、各カートリッジが、適当な高さの位置に移動されなければならないからである。さらに、分析するためにサンプルの動きを監視することが難しい。それは、異なる高さの位置において、サンプルを把握することが難しいからである。さらに、標準的な寸法から外れる厚紙やシートのサンプルが測定できないという事実が、問題を生じさせる
このような事情に鑑みて、本考案は、改良した供給装置を提供することを目的とする。
【課題を解決するための手段】
【０００６】
上記目的は、紙及び／又は厚紙のサンプルを、測定用の測定装置に供給するように構成されている供給装置によって達成される。供給装置は、少なくとも２つの連続した供給ユニットを含む。供給ユニットは、測定装置において実行される測定の方向に向かってサンプルを供給するように構成されており、供給装置は、供給路上で、少なくとも１つの供給ユニットを通り越してから次の少なくとも1つの供給ユニットに送られたサンプルを搬送するように構成されている。
【０００７】
本考案は、さらに、紙及び／又は厚紙のサンプルのための測定装置において実行される測定のための供給方法によって実現される。より具体的には、測定装置において実行される測定の方向に向かって、供給装置の少なくとも１つの供給ユニットによってサンプルを送るステップと、該送られたサンプルを、供給路上で、少なくとも1つの供給ユニットを通り越してから次の少なくとも1つの供給ユニットにサンプルを導くステップとを含む方法による。
【０００８】
本考案の好適実施形態は、添付の登録実用新案の請求の範囲に開示されており、以下のように例示されるものである。
【０００９】
（１）  測定装置における測定のための紙及び／又は厚紙のサンプルを供給するための供給装置であって、
該供給装置は、前記測定装置において実行される測定に向けてサンプルを送るための少なくとも２つの連続した供給ユニットを含み、かつ、
供給路上で、少なくとも１つの供給ユニットを通り越してから、次の少なくとも1つの供給ユニットに送られたサンプルを搬送するように構成されていることを特徴とする供給装置。
【００１０】
（２）前記供給装置は、サンプルを各供給ユニットから前記測定装置に搬送するためのコンベアを含むことを特徴とする（１）に記載の供給装置。
【００１１】
（３）前記供給装置は、各供給ユニットに接続されたプレス機を含み、該プレス機が、測定用のサンプルを供給するためのコンベアに対してサンプルを押圧するために配置されていることを特徴とする（２）に記載の供給装置。
【００１２】
（４）前記少なくとも1つの供給ユニットは、測定用のサンプルが１つの供給ユニット内にあって測定のために搬送されないときに、前記サンプルが前記プレス機の下から引き出されないように配置されたリミッタを含むことを特徴とする（３）に記載の供給装置。
【００１３】
（５）各供給ユニットがサンプルの測定をする搬送をしない状態において、前記供給装置は、前記サンプルが通り越す（通過する）ように、前記サンプルと前記コンベアとを物理的に離れた状態に維持するように配置され、さらに、前記供給装置がサンプルを測定のために搬送するとき、前記プレス機を用いて、前記コンベアに対し、前記サンプルを押圧するように構成されていることを特徴とする（３）に記載の供給装置。
【００１４】
（６）前記少なくとも1つの供給ユニットは、サンプル巻取りロールのためのホルダを含み、かつ、測定のための前記ロール上にサンプルを送るように配置されていることを特徴とする（１）に記載の供給装置。
【００１５】
（７）前記少なくとも１つの供給ユニットは、シート状サンプルのためのサンプル支持部を含むことを特徴とする（１）に記載の供給装置。
【００１６】
（８）前記供給装置は、所定のサンプル送り出し工程を中断し、測定用の割り込みサンプルを送り、かつ、該割り込み後に、前記所定のサンプル送り出し工程を元に戻すことを特徴とする（１）に記載の供給装置。
【００１７】
（９）前記供給装置は、オープンロールからサンプルを受け入れるように配置されていることを特徴とする（１）に記載の供給装置。
【００１８】
（１０）前記供給装置は、サンプルが取り付けられたサンプルキャリアを受け入れることを特徴とする（１）に記載の供給装置。
【００１９】
また、本考案を実施するに当たり、以下のような方法を例示することができる。
（１１）測定装置において、紙及び／又は厚紙のサンプルを測定するための供給方法であって、前記測定装置において実行される測定に向けて、供給装置の少なくとも1つの供給ユニットを用いてサンプルを送り；前記供給路で、少なくとも1つの供給ユニットを通り越してから、次の供給ユニットに搬送されるサンプルを導くことを特徴とする供給方法。
（１２）さらに、前記サンプルを、プレス機を用いてコンベアに対して前記サンプルを押圧し、そして、測定のための前記サンプルを供給するように、前記コンベアで前記サンプルを搬送することを特徴とする（１１）に記載の供給方法。
（１３）測定用のサンプルを送らない状態の供給ユニットでは、前記サンプルが、前記プレス機の下部から引き出されないようにするための少なくとも1つのリミッタを使用することをさらに含むことを特徴とする（１１）に記載の供給方法。
（１４）前記プレス機を前記コンベアから離間させ、これによって、前記プレス機に対応する前記供給ユニットの前記サンプルは、前記コンベアから物理的に離れた状態に維持して、このサンプルが測定のために通り越せないようにし、そして、前記サンプルが測定のために送られているとき、前記プレス機を用いて前記コンベアに対して前記サンプルを押圧することをさらに含むことを特徴とする（１１）に記載の方法。
（１５）巻取りロール内のサンプルを、少なくとも1つの供給ユニットを通って、前記測定装置に送ることをさらに含むことを特徴とする（１１）に記載の方法。
（１６）シート状のサンプルを、少なくとも1つの供給ユニットを通って、前記測定装置に送ることをさらに含むことを特徴とする（１１）に記載の方法。
（１７）所定のサンプル送り出し工程を中断し、割り込みサンプルを前記測定装置に送り、前記割り込み後、前記所定のサンプルの送り出しを再開することを特徴とする（１１）に記載の方法。
（１８）巻戻しロールから、分離された供給ユニットに、サンプルを送ることをさらに含むことを特徴とする（１１）に記載の方法。
（１９）前記サンプルが測定のために取り付けられている、サンプルキャリアを送ることをさらに含むことを特徴とする（１１）に記載の方法。
【考案の効果】
【００２０】
本考案の供給装置は、多くの効果を提供する。複数のサンプルが次から次へと迅速に供給され、部品やリミットスイッチを、移動する必要がほとんどない。サンプルの位置決めが簡便であり、サンプルの分析装置への移動を、監視するのが容易である。加えて、厚紙のサンプル及びサンプルキャリアが、測定において使用できる。
【図面の簡単な説明】
【００２１】
【図１】本考案の供給装置の側面図である。
【図２】本考案の供給装置を、上方からみた斜視図である。
【図３】本考案の供給装置に、サンプルを供給する方法のフロー図である。
【考案を実施するための形態】
【００２２】
初めに、図１を参照して、供給装置１００について説明する。供給装置１００は、紙、パルプ及び／又は厚紙のサンプルを、測定装置１０２において実行される分析ために供給するためのものである。測定装置１０２は、紙、パルプ及び厚紙のサンプルの少なくとも1つの特性を測定するものであり、例えば、該サンプルは、仕上げられた製品又は製造されている製品の品質管理を行うために、並びに、製造作業及び他の処理を制御するために、使用される。
【００２３】
供給装置１００は、測定装置１０２の前に配置される。供給装置１００は、少なくとも２つの連続した供給ユニット１０６、１０８、１１０及び１５０を含む。これら供給ユニット１０６、１０８、１１０及び１５０はすべて、同一の供給方向を有する。このことは、供給ユニット１０６、１０８、１１０及び１５０が、供給路上で、次から次に配置されることを意味する。供給ユニット１０６、１０８、１１０及び１５０はそれぞれ、測定装置１０２において実行される測定に向けて、サンプル１１６、１４６及び１５６を送る。
【００２４】
供給装置１００は、供給ユニット１０６、１０８、１１０及び１５０から測定装置１０２に、それぞれサンプル１１６、１４６及び１５６を、搬送するためのコンベア１１４を有する。供給装置１００において、サンプル１１６、１４６及び１５６は、供給装置１００の供給ユニット１０８〜１１０及び１５０の少なくとも1つによって、測定装置１０２に向かって、コンベア１１４上に供給される。コンベア１１４によって搬送されるサンプル１１６、１４６及び１５６は、少なくとも1つの供給ユニット１０８〜１１０及び１５０と測定装置１０２との間の供給路上にある他の少なくとも1つの供給ユニット１０６〜１１０を通り越す（通過する）ことができる。
【００２５】
次から次に、及び／又は、並置されて、１本又はそれ以上のコンベアベルト、ドラムのセット及びホイールのセット等を含むコンベア１１４は、測定装置１０２の中にある受け入れ用開口１０４に、又は、測定のため（一定距離隔てた）受け入れ用開口１０４の中にさえ、サンプル１１６、１４６及び１５６を搬送する。供給装置１００の供給ユニット１０６〜１１０のそれぞれは、プレス機１２４〜１３０及びコンベア１１４の上にある供給用スイッチ１２４０〜１２８０を備えている。プレス機１２４〜１３０は、サンプル１１６、１４６を、コンベア１１４に押圧するときに、供給用スイッチ１２４０〜１２８０は閉成される。コンベア１１４によって運ばれたサンプル１１６、１４６は、測定装置１０２に向かって動き出したとき、供給スイッチ１２４０〜１２８０は閉成される。一方、供給スイッチ１２４０〜１２８０が開成されるが、このことは、コンベア１１４とプレス１２４〜１３０に隙間があることを意味する。また、この場合は、コンベア１１４によって搬送されたサンプル１１６、１４６は、供給路上の隣りに位置付けられた供給ユニット１０６〜１１０と協働して作用するように備えられた供給用スイッチ１２４０〜１２８０を介して、走行する。供給用スイッチ１２４０〜１２８０は、制御器１５２を用いて閉成され、かつ、開成される。図１には示されていないが、同様のスイッチが、供給装置１５０と協働して作用する。
【００２６】
供給装置１００において、サンプル１１６、１４６、１５６は、供給用ユニット１０６、１０８、１１０及び１５０内で押圧され、それにより、サンプル１１６、１４６、１５６が、プレス機１２４〜１３０の下部に入り込む。この動作は、作業者によって手動で実行することができ、あるいは、供給ユニット１０６〜１１０及び１５０が、供給装置への挿入のために準備された適当な長さのサンプル１１６、１４６及び１５６を供給装置内へ引っ張る。各供給ユニット１０６〜１１０及び１５０は、プレス機１２４〜１３０が、コンベア１１４に対してサンプルを押圧するように配置されていなければ、サンプル１１６、１４６及び１５６と、コンベア１１４との間に隙間が残されるように設計される。この場合には、供給用スイッチ１２４０〜１２８０は、開成されていると考えられる。この結果、プレス機１２４〜１３０が、コンベア１１４に対して、サンプル１１６、１４６及び１５６を押圧するように導かれ又は配置されていないならば、供給装置１００は、サンプル１１６、１４６、１５６及びコンベア１１４を、互いに物理的に離した状態に維持させる。供給ユニット１０６〜１１０及び１５０の中にサンプル１１６、１４６及び１５６が存在しない場合には、プレス機１２４〜１３０は、コンベア１１４から離れた位置に維持される。これにより、より遠く離れた供給ユニットからのサンプル１１６、１４６及び１５６を、前方にある供給ユニットを通り越させるようにして、測定装置１０２へ、サンプル１１６、１４６及び１５６を搬送させることができる。
【００２７】
所望の供給ユニット１０６〜１１０及び１５０に位置付けられたサンプル１１６、１４６及び１５６が測定器に送られるときに、供給ユニット１０６〜１１０及び１５０のプレス機１２４〜１３０は、コンベア１１４に、サンプル１１６、１４６及び１５６を押圧するようにセットされる。コンベア１１４と、サンプル１１６、１４６及び１５６との間の摩擦が、受け入れ用開口１０４の方に向かう方向に沿って、サンプル１１６、１４６及び１５６を引っ張る。併せて又は別に、コンベア１１４（コンベアベルト）が、サンプル１１６、１４６及び１５６を押圧する突起部１４８を備えており、これによって、サンプル１１６、１４６及び１５６のコンベア１１の把持（ホールド）作用を強化する。突起部を備えたコンベアベルト１１４は、例えば、スパイクが形成されたコンベアベルトである。
【００２８】
供給ユニット１０６〜１１０及び１５０の各々は、少なくとも1つのリミッタ１１８、１２０、１２２を含み、各リミッタは、供給ユニット１０６〜１１０がサンプルをコンベア１１４に供給しないときに、サンプル１１６、１４６がプレス機１２４〜１３０の下部から遠ざかることを防止する。このことは、供給ユニット１０６〜１１０の各々に配置されたサンプル１１６、１４６が、コンベア１１４に対してプレス機１２４〜１３０を用いて押圧され、かつ、所望時に測定器に供給されることを確かにする。図示はしないが、供給ユニット１５０はまた、リミッタを含む。
【００２９】
供給ユニット１０６〜１１０の少なくとも1つは、シリンダ１３８〜１４２のためのホルダ１３２、１３４、１３６を含む。金属製又はプラスチック製の中実シリンダ１３８〜１４２は、例えば、ロール形状のサンプル１４６の中央において支持体として機能する。少なくとも1つの供給ユニット１０６〜１１０は、シリンダ１３８〜１４２上に巻回されたサンプル１４６を、測定方向へ向かう搬送のために、コンベア１１４に供給する。
【００３０】
供給ユニット１０６〜１１０の少なくとも1つは、シート状サンプル１１６のためのサンプル支持体１４４を含む。サンプル支持体１４４は、シート状サンプル１１６を支持し、これにより、シート状サンプル１１６を、供給ユニット１０６〜１１０を用いて、測定方向に向かってコンベア１１４の上に容易に供給させる。サンプル支持体１４４は、金属製又はプラスチック製の板部材であり、例えば、供給ユニットに取り付けられる。
【００３１】
サンプル１１６、１４６を、各供給ユニット１０６〜１１０内に配置する動作をすべての供給ユニット１０６〜１１０側で行うように、供給装置１００は作動させることができる。供給ユニット１０６〜１１０の高さは作業者に応じて調整され、例えば、供給ユニット１０６〜１１０は、例えば床から９０ｃｍの高さにある。これは、人間工学的な改良である。
【００３２】
供給装置１００は、分析のために、サンプルを測定装置１０２に自動的に供給させる。複数のサンプルの自動化された供給及び分析には、数１０分かかる。異なるサンプルは、測定のための優先順位で供給され、プライオリティが付けられる。
【００３３】
進行中の測定の最中に、新たなサンプルが分析されることになる場合、進行中のサンプルの送りが中断される。供給装置１００が、所定サンプルの送り出し工程を中断する。そして、例えば、新たなサンプルを迅速に分析することが急に必要となった場合は、測定装置１０２の中に、割り込ませるサンプル１１６、１４６を供給する。当該中断後、所定のサンプルの送り出し工程が、当該中断前に送り出しを止めた所から再び開始される。中断は、作業者によって行われる。作業者は、ユーザインタフェイス１５４を通じて中断命令を与える。中断中のサンプル（単数・複数いずれも可）が、測定装置１０２の中に供給されるとき、中断された供給プログラムが、自動的に又は作業者の命令によって、再び開始される。
【００３４】
サンプル１５６を表すオープンロール（解かれたロール。以下同様）が、供給装置１００の末端部から分析のために供給される。これにより、供給装置１００の末端部が、供給ユニット１５０としても動作する。オープンロールは、機械加工方向に沿って長尺状態にされたものであり、かつ、支持体としての中実センターシリンダを用いることなく、緩い状態のロールに巻かれている。このサンプルは、紙又は厚紙である。
【００３５】
標準サイズではないシート状のサンプル及び標準サイズよりも特に小さいサンプルは、シート状のサンプル１１６が取り付けられている分離したサンプルキャリア（図示略）の助けによって供給される。サンプルキャリアは、1つの供給ユニット１５０として機能する供給装置１００の末端部からオープンロール１５６と同様に、分析のために供給されるような寸法で作製されている。オープンロール１５６及びサンプルキャリアは、供給装置１００を用いて、分析のために供給される。オープンロール１５６とサンプルキャリアとの両方共が、プレス機１３０とコンベア１１４との間で押圧されて、測定装置１０２の中に供給される準備を整える。プレス機１３０及びコンベア１１４は、供給スイッチ１２４０〜１２８０と同様に動作するフィードスイッチ１３００を形成する。
【００３６】
オープンロールとサンプルキャリアの両方の供給に関連して、供給ユニット１０６〜１１０が、供給スイッチ１２４０〜１２８０を開成状態に維持させて通過する。
【００３７】
図３は、方法のフロー図である。ステップ３００では、サンプル１１６、１４６が、測定器１０２において実行される測定の方向に向かって、供給装置１００の供給ユニット１０６〜１１０及び１５０の少なくとも1つを用いて送られる。ステップ３０２では、送られたサンプル１１６、１４６が、供給路上近くの供給ユニット１０６〜１１０の少なくとも1つを通り越すように導かれる。この供給ユニットは、供給方向において、供給ユニット１０８〜１１０の少なくとも1つと、測定装置１０２との間にある。
【００３８】
プロセッサ、メモリ及び適当なコンピュータプログラム（単数・複数いずれも可）を含むコントローラ１５２は、供給装置１００の動作を逐次制御する。なお、該動作は、フロー図に示されたステップも含む。併せて、制御器１５２に動作可能に接続されたユーザインタフェイス１５４を通じて、ユーザは、制御器１５２の動作の少なくともいくつかに基づき行動し、又は、手動で供給装置１００を直接的に制御する。ユーザは、供給プログラムを中断し、かつ、適当な供給ユニット（単数・複数いずれも可）によって、測定装置のいて中断中のサンプル（単数・複数いずれも可）を供給する。
【００３９】
本考案は、添付図面の実施例を参照しながら上述したけれども、本考案はそれらに限られず、添付の請求の範囲内において、種々の改変が可能であることは明らかである。
【符号の説明】
【００４０】
１０２：測定装置、１１６、１４６、１５６：サンプル、１００：供給装置、１０６〜１１０：供給ユニット。
【図１】
0003154441.tif 000003
【図２】
0003154441.tif 000004
【図３】
0003154441.tif 000005
【手続補正書】
【提出日】平成21年8月10日(2009.8.10)
【手続補正１】
【補正対象書類名】実用新案登録請求の範囲
【補正対象項目名】請求項１
【補正方法】変更
【補正の内容】
【請求項１】
測定用の紙及び／又は厚紙のサンプルを測定装置に供給するための供給装置であって、
前記測定装置において実行される測定に向けて１つのサンプルを送るための少なくとも２つの連続して配置される供給ユニットと、
前記供給ユニットの各々から前記測定装置に１つのサンプルを搬送するためのコンベアと、
前記測定用のサンプルを供給するため、前記供給ユニットの各々に関連して、１つのサンプルを前記コンベアに対して押圧するように、又は前記コンベアから離れた状態に維持するように配置されたプレス機とを有し、
前記供給ユニットの少なくとも１つが、
サンプル巻取ロールのためのホルダ、又はシート状サンプルのためのサンプル支持体と、
前記測定用のサンプルを搬送しない前記供給ユニット内に、１つのサンプルがあるとき、該１つのサンプルが、前記プレス機の下から引き出されないように配置されたリミッタと、を有しており、
前記供給ユニットの供給路上で、少なくとも１つの供給ユニットを通り越してから、次の少なくとも１つの供給ユニットに送られた１つのサンプルを搬送するように構成されていることを特徴とする供給装置。